(57)【特許請求の範囲】
【請求項１】
口頸部(８)を起立する容器体(４)、及び、口頸部の外面に嵌合されたキャップ状部材(１０)を有する容器部(２)と、
口頸部(８)から容器体(４)内へ垂下されたシリンダ(３２)と、
シリンダ(３２)内に、下半部であるプランジャ(５２)を上方付勢させて昇降自在に摺接させるとともに、このプランジャ(５２)に上半部である塗布ヘッド(６０)を取り付け、塗布ヘッドの内部に、塗布口(８２)と連続する計量室(Ｒ)を設けた作動部材(５０)と、
上記容器部(２)の上部に回動可能に嵌合された操作筒(８４)と、を具備し、
上記操作筒(８４)と塗布ヘッド(６０)との一方に、傾斜溝部(ＧＩ)を含むガイド溝(Ｇ)を、他方にガイド溝(Ｇ)内に摺動可能に挿入される係合凸部(７０)をそれぞれ形成して、操作筒(８４)を容器部(２)に対して回転させることで作動部材(５０)を一定の幅だけ上下動させるように設け、
作動部材(５０)の一定幅の上下動により容器体(４)内の液体を第１逆止弁(Ｖ１)を介してシリンダ(３２)内へ吸い上げるとともに、シリンダ(３２)内から第２逆止弁(Ｖ２)を介して塗布ヘッド(６０)が有する計量室(Ｒ)内に一定量の液体を取り込み、上記塗布口(８２)から吐出できるように構成したことを特徴とする、定量塗布容器。
【請求項２】
上記塗布ヘッド(６０)を、上面に有する連通口(７２)の周囲から連結筒部(７６)を起立したヘッド本体(６１)と、その連結筒部(７６)に嵌合された透明又は半透明のノズル筒(８０)とで形成し、ノズル筒(８０)のノズル孔を塗布口(８２)とし、かつノズル筒(８０)の内部を計量室(Ｒ)としたことを特徴とする、請求項１記載の定量塗布容器。
【請求項３】
上記操作筒(８４)は、容器部(２)の上部を囲む包囲筒(８５)に対して、包囲筒(８５)の外面に当接する外筒部(８８ａ)の上端から包囲筒(８５)の内面上部へ内筒部(８８ｂ)を垂下した２重筒体(８８)を組み付け、その内筒部(８８ｂ)の下端から下方へ一定の距離を離して包囲筒(８５)の内面に仕切り用リブ(８６)を付設し、仕切り用リブ(８６)と内筒部(８８ｂ)の下端との間に前述のガイド溝(Ｇ)が形成されるように、上記内筒部(８８ｂ)の垂下長を、周方向に向かって変化するように構成したことを特徴とする、請求項１又は請求項２記載の定量塗布容器。
【請求項４】
上記キャップ状部材(１０)は、口頸部(８)の外面に嵌合させた装着筒部(１２)の上端から内向きフランジ(１６)を内方突出し、内向きフランジ(１６)と口頸部(８)との間に、シリンダ(３２)上端の鍔部(３４)を挟持することが可能に設けるとともに、装着筒部(１２)の外面から外向きフランジ(２０)を介して補助筒部(２２)を垂下し、この補助筒部(２２)に切割り(２４)を穿設して、切割りの内側に、先端部を押釦(２８)とする押込み片(２６)を形成しており、
上記操作筒(８４)に貫通孔(９２)を穿設して、貫通孔(９２)を介して押釦(２８)を押しこみ可能とすると共に、押釦(２８)の非押込み状態で、押釦(２８)が貫通孔(９２)に係合して操作筒(８４)の回転を防止するように設けたことを特徴とする、請求項１から請求項３のいずれかに記載の定量塗布容器。
【請求項５】
上記ガイド溝(Ｇ)を、傾斜溝部(ＧＩ)と垂直溝部(ＧＶ)とが交互に繰り返すノコギリ刃状に形成しており、傾斜溝部(ＧＩ)と垂直溝部(ＧＶ)との間に横溝部(ＧＬ)を設けたことを特徴とする、請求項１から請求項４の何れかに記載の定量塗布容器。
【請求項６】
上記ガイド溝(Ｇ)を、傾斜溝部(ＧＩ)と横溝部(ＧＬ)とが連続する波状に形成したことを特徴とする請求項１から請求項４の何れかに記載の定量塗布容器。
【発明の詳細な説明】
【技術分野】
【０００１】
本発明は、定量塗布容器に関する。
【背景技術】
【０００２】
特許文献１には、容器体の口頸部内に大径のシリンダを嵌挿するとともに口頸部の外面に有頂筒状のキャップの下部を嵌合させ、キャップ頂壁の中央部に開口した栓孔の裏面側から、塗布具を上方付勢させて突出させてなり、容器体を下向きにして塗布具を目的面に圧接させると、塗布具が後退して内部の液体が吐出塗布される容器が知られている。
この容器は、さらにキャップの外側を覆うようにキャップ外面に螺合するオーバーキャップを有し、そのオーバーキャップの頂壁から栓棒を垂下しており、オーバーキャップをキャップへ螺合させたときに、栓棒が塗布具を上方付勢力に抗して押し下げるように設けている。そして塗布具と連動してシリンダ内部に嵌挿したピストンが上下動し、容器体内から一定量の液体をシリンダ内へ吸い上げ、かつ栓孔へ導くようにしている。
【先行技術文献】
【特許文献】
【０００３】
【特許文献１】特開２００３−１９１９９９
【発明の概要】
【発明が解決しようとする課題】
【０００４】
特許文献１の容器は、計量操作の度にオーバーキャップを着脱しなければならないので、面倒であった。
【０００５】
本発明の目的は、操作筒の回転操作により作動部材を昇降させて計量することができ、使い勝手のよい定量塗布容器を提案することである。
【課題を解決するための手段】
【０００６】
第１の手段は、
口頸部８を起立する容器体４、及び、口頸部の外面に嵌合されたキャップ状部材１０を有する容器部２と、
口頸部８から容器体４内へ垂下されたシリンダ３２と、
シリンダ３２内に、下半部であるプランジャ５２を上方付勢させて昇降自在に摺接させるとともに、このプランジャ５２に上半部である塗布ヘッド６０を取り付け、塗布ヘッドの内部に、塗布口８２と連続する計量室Ｒを設けた作動部材５０と、
上記容器部２の上部に回動可能に嵌合された操作筒８４と、を具備し、
上記操作筒８４と塗布ヘッド６０との一方に、傾斜溝部ＧＩを含むガイド溝Ｇを、他方にガイド溝Ｇ内に摺動可能に挿入される係合凸部７０をそれぞれ形成して、操作筒８４を容器部２に対して回転させることで作動部材５０を一定の幅だけ上下動させるように設け、
作動部材５０の一定幅の上下動により容器体４内の液体を第１逆止弁Ｖ１を介してシリンダ３２内へ吸い上げるとともに、シリンダ３２内から第２逆止弁Ｖ２を介して塗布ヘッド６０が有する計量室Ｒ内に一定量の液体を取り込み、上記塗布口８２から吐出できるように構成した。
【０００７】
本手段は、図１又は図５に示すように、容器部２の上部に回転自在に操作筒８４を嵌合し、塗布ヘッド６０及び操作筒８４の一方にガイド溝Ｇを、他方にガイド溝Ｇ内に摺動可能に挿入される係合凸部７０をそれぞれ形成し、操作筒８４を回転させることにより、作動部材５０が一定の幅を上下動するように設けている。この上下動により定量の液体が計量室Ｒ内に入り、塗布口８２から塗布することができる。
【０００８】
第２の手段は、第１の手段を有し、かつ
上記塗布ヘッド６０を、上面に有する連通口７２の周囲から連結筒部７６を起立したヘッド本体６１と、その連結筒部７６に着脱自在に嵌合されたノズル筒８０とで形成し、ノズル筒８０のノズル孔を塗布口８２とし、かつノズル筒８０の内部を計量室Ｒとした。  
【０００９】
本手段では、図１又は図５に示すように、塗布ヘッド６０のヘッド本体６１にノズル筒８０を設け、このノズル筒８０の内部に計量室Ｒを形成している。
【００１０】
第３の手段は、第２の手段を有し、かつ
上記操作筒８４は、容器部２の上部を囲む包囲筒８５に対して、包囲筒８５の外面に当接する外筒部８８ａの上端から包囲筒８５の内面上部へ内筒部８８ｂを垂下した２重筒体８８を組み付け、その内筒部８８ｂの下端から下方へ一定の距離を離して包囲筒８５の内面に仕切り用リブ８６を付設し、仕切り用リブ８６と内筒部８８ｂの下端との間に前述のガイド溝Ｇが形成されるように、上記内筒部８８ｂの垂下長を、周方向に向かって変化するように構成した。
【００１１】
本手段では、操作筒８４を、図１に示す包囲筒８５と、包囲筒に組付けた２重筒体８８とで形成している。この構成は、各部材を金型成形する場合に、ガイド溝Ｇの深さを確保し易い。
【００１２】
第４の手段は、第１の手段から第３の手段の何れかを有し、かつ
上記キャップ状部材１０は、口頸部８の外面に嵌合させた装着筒部１２の上端から内向きフランジ１６を内方突出し、内向きフランジ１６と口頸部８との間に、シリンダ３２上端の鍔部３４を挟持することが可能に設けるとともに、装着筒部１２の外面から外向きフランジ２０を介して補助筒部２２を垂下し、この補助筒部２２に切割り２４を穿設して、切割りの内側に、先端部を押釦２８とする押込み片２６を形成しており、
上記操作筒８４に貫通孔９２を穿設して、貫通孔９２を介して押釦２８を押しこみ可能とすると共に、押釦２８の非押込み状態で、押釦２８が貫通孔９２に係合して操作筒８４の回転を防止するように設けた。
【００１３】
本手段では、図６及び図７に良く示すように、補助筒部２２の一部の周囲に、基端部２７側を除いて切割り２４を穿設することで、押込み片２６を形成し、この押込み片２６の先端部で形成する押釦２８を、操作筒８４に穿設した貫通孔９２を介して押し込むことができるように設けている。押釦２８は、押し込まれていない状態では、貫通孔９２に係合して操作筒８４を回転させることができない。押釦を押すことで係合が解除されて操作筒８４を回転させることができる。
【００１４】
第５の手段は、第１の手段から第４の手段の何れかを有し、かつ
上記ガイド溝Ｇを、傾斜溝部ＧＩと垂直溝部ＧＶとが交互に繰り返すノコギリ刃状に形成しており、傾斜溝部ＧＩと垂直溝部ＧＶとの間に横溝部ＧＬを設けた。
【００１５】
本手段では、図２に示すように上記のガイド孔を垂直溝部ＧＶを含むノコギリ刃状としている。これにより垂直溝部ＧＶは等角的に配置されており、傾斜溝部ＧＩと垂直溝部ＧＶとの間に横溝部ＧＬを設けたので、一定の角度を回すと係合凸部が横溝部内に留まり、上下の動きに対してロックがかかった状態となる。
【００１６】
第６の手段は、第１の手段から第３の手段の何れかを有し、かつ
上記ガイド溝Ｇを、傾斜溝部ＧＩと横溝部ＧＬとが連続する波状に形成した。
【００１７】
本手段では、図８に示すように上記のガイド溝を緩やかに変化する波状に形成している。これは作動部材５０を幾度も昇降させる場合に適した構造である。
【発明の効果】
【００１８】
第１の手段に係る発明によれば、ガイド溝Ｇと係合凸部７０とにより操作筒８４への回転力を、作動部材５０を下降させる力に変換するから、使い勝手がよい。
第２の手段に係る発明によれば、塗布ヘッド６０のヘッド本体６１の上面に有する連通口７２の周囲から連結筒部７６を起立し、この連結筒部７６に嵌合した透明又は半透明のノズル筒８０内に計量室Ｒを形成したから、ノズル筒８０内の液体を視認することが容易である
第３の手段に係る発明によれば、操作筒８４は、包囲筒８５の内面に付設した仕切り用リブ８６と、包囲筒８５に組み付けた２重筒体８８の内筒部８８ｂの下端との間でガイド溝Ｇを形成したから、十分な溝の深さを確保できる。
第４の手段に係る発明によれば、押込み片２６の先端の押釦２８を押さない状態では、操作筒８４が回転しないので、誤操作を防止できる。
第５の手段に係る発明によれば、ガイド溝Ｇをノコギリ刃状にしており、一定角度を回すとロックがかかるようにしている。
第６の手段に係る発明によれば、ガイド溝Ｇを波状に形成したから、作動部材５０を幾度も昇降させるように操作筒８４を回転し続けるときに作動部材の下降過程と上昇過程との切り替わりがスムーズとなる。
【図面の簡単な説明】
【００１９】
【図１】本発明の第１実施形態に係る定量塗布容器を正面から見た縦断面図である。
【図２】図１の定量塗布容器の要部の展開図面である。
【図３】図１の定量塗布容器の作動部材下降過程を示す作用説明面である。
【図４】図１の定量塗布容器の作動部材上昇過程を示す作用説明面である。
【図５】本発明の第２実施形態に係る定量塗布容器を正面から見た縦断面図である。
【図６】図５の定量塗布容器の横断面を一部省略して描いた図である。
【図７】図６の定量塗布容器を側方から見た縦断面図である。
【図８】図６の定量塗布容器の要部の展開図面である。
【図９】図６の定量塗布容器の作動部材下降過程を示す作用説明面である。
【図１０】図６の定量塗布容器の作動部材上昇過程を示す作用説明面である。
【発明を実施するための最良の形態】
【００２０】
図１から図４は、本発明の第１の実施形態に係る定量塗布容器を示している。この定量塗布容器は、容器部２と、ポンプ装置３０と、操作筒８４と、オーバーキャップ１００とで構成している。これら各部材は、例えば合成樹脂又は金属で製造できる。
【００２１】
容器部２は、容器体４と、キャップ状部材１０とで形成されている。
【００２２】
上記容器体４は、胴部６から口頸部８を起立している。図示の胴部６の上半部は、下から上へ第１縮径部６ａ、第２縮径部６ｂ、第３縮径部６ｃと順次縮径していくように設けているが、その構造は適宜変更することができる。
【００２３】
上記キャップ状部材１０は、上記口頸部８の外面に嵌合（図示例では螺合）させた装着筒部１２を有し、装着筒部１２の上端部から内向きフランジ１６を突出している。内向きフランジ１６の内周部から、案内筒部１８を起立している。また図示例では、上記装着筒部１２を上方へ延長して延長筒部１３とし、延長筒部１３の外面から装着筒部１２の上部外面に亘って第１係合突条１４を縦設している。装着筒部１２の上下方向中間部からは外向きフランジ２０を介して補助筒部２２を下方突出している。図示の補助筒部２２は、小径の上側筒部２２ａから中径の中間筒部２２ｂを介して大径の下側筒部２２ｃを垂設してなる。中間筒部２２ｂは上記第３縮径部６ｃへ、または下側筒部２２ｃ上記第２縮径部６ｂへそれぞれ嵌合させている。上記中間筒部２２ｂの外面には、抜止め用リブ２３を横設している。
【００２４】
ポンプ装置３０は、シリンダ３２と、抜止め部材４２と、作動部材５０とで形成されている。
【００２５】
上記シリンダ３２は、シリンダ筒壁の上端に付設した鍔部３４を、上記口頸部８とキャップ状部材１０の内向きフランジ１６との間に挟持させて、容器体４内へ挿入させている。シリンダ筒壁の下部はテーパ状壁部３６としており、テーパ状壁部から吸上げパイプ嵌合用筒部を介して吸上げパイプ３８を垂下している。またテーパ状壁部の内面には玉弁を配置して第１逆止弁Ｖ１を形成している。好適な一実施例として、玉弁の上側から図示しないロッド部材を起立させ、後述のプランジャ５２へ挿入させるように設けてもよい。ロッド部材の下部は、シリンダの内面に支持させればよい。
【００２６】
上記抜止め部材４２は、上記シリンダ３２の上端部内面に嵌合された筒状の部材であり、作動部材５０の抜け出しを防止している。
【００２７】
上記作動部材５０は、シリンダ３２の内周面を摺動する筒状ピストン（図示せず）を下部に有するプランジャ５２を上方突出している。図示例のプランジャは第１管体５２ａと、第１管体５２ａの上部に嵌合され上方へ延びる第２管体５２ｂとで形成されている。
【００２８】
上記第２管体５２ｂの上部には塗布ヘッド６０を付設する。塗布ヘッド６０は、ヘッド本体６１とノズル筒８０とで形成する。
【００２９】
ヘッド本体６１は、頂板６２の裏面中心部から小径の嵌合筒部６４及び大径の垂下筒部６６を二重筒状に垂下するとともに、頂板６２の外周部からヘッド周壁６８を垂下している。嵌合筒部６４は、上記第２管体５２ｂの上部に嵌合し、また垂下筒部６６は上記案内筒部１８の内面によって案内されるように配置している。ヘッド周壁６８の外面下部には係合凸部７０を設けている。さらにヘッド周壁６８の内面には、第２係合突条６９を縦設している。第２係合突条６９は上記第１係合突条１４と当接してヘッド本体６１の回り止め手段として機能する。
【００３０】
好適な実施例では、上記嵌合筒部６４の内側の頂板部分に、連通口７２を開口するとともに、この連通口７２に第２逆止弁Ｖ２を形成している。図示例では、連通口７２の回りから保持筒部７３を上方突出し、この保持筒部７３に弁部材７４を保持させている。弁部材７４は、柱状の本体７４ａの上端に大径の帽状部７４ｂを付設してなる形状であり、柱状の本体を上記保持筒部内に隙間を存して遊嵌させている。そのとき帽状部７４ｂは弁板として保持筒部７３の上面に載置され、保持筒部７３の筒孔を閉塞している。ヘッド本体６１の内部圧力が上昇すると、弁部材４７が押し上げられ、帽状部７４ｂが保持筒部７３の上面から離れることで、第２逆止弁Ｖ２が開く。        
【００３１】
上記保持筒部７３の回りの頂板部分からは、連結筒部７６を起立している。
【００３２】
上記ノズル筒８０は、有頂筒状であり、上端中央部に塗布口８２を開口している。またノズル筒の筒壁下部は、拡径筒部８０ａに形成されて、上記連結筒部７６の外面に嵌合している。また大径筒部の上端付近から連結筒部７６の内面に嵌着するシール筒部８０ｂを垂下している。そしてノズル筒８０の内部に計量室Ｒを形成している。ノズル筒は透明又は半透明に形成し、目盛等の表示部を設けることが望ましい。
【００３３】
上記操作筒８４は、容器部２の上部に対して回転可能に取り付けている。本実施形態では、キャップ状部材１０の補助筒部２２に取り付けているが、この構造は適宜変更することができ、例えば補助壁部を省略して、容器体の胴部に対して取り付けることもできる。
【００３４】
操作筒８４の内面には、図２に示す如く、傾斜溝部ＧＩを含むガイド溝Ｇを形成しており、このガイド溝Ｇ内に塗布ヘッド６０の係合凸部７０を挿入して、操作筒８４への回転力を作動部材５０を下降させる力に変換させるように形成している。
なお、図示例と異なり、操作筒内面に係合凸部を、ヘッド周壁の外面にガイド溝を設けても構わない。
【００３５】
本実施形態では、ガイド溝Ｇは、垂直溝部ＧＶと横溝部ＧＬと傾斜溝部ＧＩとを一つのサイクルとして繰り返してなり、全体としてノコギリ歯状に形成している。垂直溝部は等角的（図示例では１８０°）に配置されており、係合凸部７０が横溝部ＧＬに入ると、作動部材の上方付勢力に対抗してその状態にとどまる（上下方向にロックがかかった状態となる）。もっともこの形状は適宜変更することができる。どの垂直溝部ＧＶも同じ上下幅であることが重要であり、それにより一定量の液体を計量できる。
【００３６】
操作筒８４を一枚の筒体の形態とすることも出来るが、金型成形する場合には、型抜きの問題からガイド溝が浅くなるという問題がある。本実施形態では、操作筒８４を、容器部２の上部を囲む包囲筒８５と、この包囲筒８５に組み付けた２重筒体８８との２体で構成している。２重筒体８８は、包囲筒８５の外面に嵌合した外筒部８８ａを有し、この外筒部の上端から包囲筒８５の内面上部へ当接する内筒部８８ｂを折り返し、垂下してなる。この内筒部８８ｂの垂下長さは、周方向の位置により変化する。そして包囲筒８５の内面には、上記内筒部８８ｂの下端９０から一定の間隔を置いて仕切り用リブ８６を連続して設ける。そして、内筒部８８ｂの下端９０と仕切り用リブ８６との間にガイド溝Ｇが形成されるように、内筒部８８ｂの垂下長さを調整している。
【００３７】
上記包囲筒８５の下端は上側筒部２２ａと中間筒部２２ｂとの間の段差に、また外筒部８８ａの下端は、中間筒部２２ｂと下側筒部２２ｃとの間に段差にそれぞれ摺動可能に当接している。また外筒部８８ａの下部内面には、中間筒部２２ｂの外面に設けた抜止め用リブ２３と摺動可能に嵌合させることができる水平溝を設けている。
【００３８】
オーバーキャップ１００は、有頂筒状であり、下端部を上記第１縮径部６ａに着脱自在に嵌合させている。オーバーキャップ１００の頂壁の中央部からは、上記塗布口８２を閉塞する栓部１０２を垂下しており、また栓部１０２の周囲からは、上記ノズル筒８０の外面に嵌合するノズル保持筒１０４を垂下している。
【００３９】
上記構成によれば、まず図１の状態から、オーバーキャップ１００を外し、容器体４の胴部を手で押さえて、操作筒８４を回転すると、係合凸部７０がガイド溝Ｇ内を移動する。係合凸部７０がガイド溝中の傾斜溝部ＧＩを移動するときに作動部材５０が下方へ押し下げられる。これにより、シリンダ３２内から一定量の液体が第２逆止弁Ｖ２を通って計量室Ｒ内に入る。次に上記係合凸部７０が垂直溝部ＧＶへ入ると上記押下げが開放され、作動部材５０が上昇する。
なお、係合凸部７０がガイド溝Ｇの横溝部ＧＬ内にある場合には、係合凸部７０は横溝内に留まり、上方付勢力に対してロックされた状態となる。その状態から必要により更に操作筒の回転作業を続けることもでき、使い勝手がよい。
【００４０】
液体を塗布するときには、容器を逆さまにして塗布口８２を目的面に当接すればよい。
【００４１】
本容器の使い方としては、案内溝の一サイクル分の液体を計量室Ｒに蓄えた後に直ちに塗布するようにしてもよく、また数サイクル分の液体を計量室Ｒに蓄えた後に塗布するようにしてもよい。
【００４２】
以下、本発明の他の実施形態を説明する。これらの説明において、第１実施形態と同じ構成に関しては解説を省略する。
【００４３】
図５〜図１０実施形態は本発明の第２実施形態に係る定量塗布容器を示している。この実施形態は、ガイド溝の形状を変更し、かつキャップ状部材に操作筒ロック解除用の押込み片を設けたものである。
【００４４】
本実施形態のガイド溝Ｇは、図８に示すような波状に形成されている。この形状では横溝部ＧＬを挟んで傾斜の向きが反転する傾斜溝部ＧＩが交互に現れることになる。この形態のガイド溝Ｇでは、作動部材５０の下降過程と上昇過程との切り替わりが滑らかに行われる。
【００４５】
また本実施形態において、キャップ状部材１０は、図６に示すように一つの押込み片２６を有し、また操作筒８４は押込み片を操作するための適数（図示例では一対）の貫通孔９２を有する。
【００４６】
貫通孔９２は、操作筒８４の包囲筒８５及び外筒部８８ａを貫通するように形成する。一対の貫通孔９２は１８０°対称の位置に設けることが好ましい。３つ以上の貫通孔を設ける場合にも同様に対照位置に設けるとよい。
【００４７】
押込み片２６は、上側筒部２２ａの一部の一方側（基端部２７）を残して、三方を切り割ることで形成する。図示例では横向きＵ字形の切割り２４を設けている。これにより切割り内の筒壁部分は、図６に示す基端部２７を中心として揺動可能な押込み片となる。補助筒部の押込み片形成箇所（図示例では上側筒部２２ａ）と装着筒部１２との間には、図示の通り、押込み片の押込み代を十分にとるものとする。押込み片２６の先端部（基端部と反対側の部分をいう）は、上記貫通孔９２内に迫り出すように肉厚に形成されている。これにより操作筒８４を回転できないようにロックされている。押釦２８を押し込むことにより、貫通孔９２から押釦が外れ、ロックが解除される。
【００４８】
本実施形態の容器を使用するときには、図５の状態からオーバーキャップを外し、次に押釦２８を押してから操作筒８４を回転させる。そうすると、図９に示すように作動部材５０が下降し、計量室Ｒ内に一定量の液体が入る。さらに操作筒８４を回転させると、図１０に示すように作動部材が再び上昇する。この状態で塗布口８２を目的面に当てて塗布すればよい。
【符号の説明】
【００４９】
２…容器部
４…容器体  ６…胴部  ６ａ…第１縮径部  ６ｂ…第２縮径部  ６ｃ…第３縮径部
８…口頸部
１０…キャップ状部材  １２…装着筒部  １３…延長筒部  １４…第１係合突条
１６…内向きフランジ  １８…案内筒部  ２０…外向きフランジ  ２２…補助筒部
２２ａ…上側筒部  ２２ｂ…中間筒部  ２２ｃ…下側筒部  ２３…抜止め用リブ
２４…切割り  ２６…押込み片  ２７…基端部  ２８…押釦
３０…ポンプ装置  ３２…シリンダ  ３４…鍔部  ３６…テーパ状壁部
３８…吸上げパイプ    ４２…抜止め部材
５０…作動部材  ５２…プランジャ  ５２ａ…第１管体  ５２ｂ…第２管体
６０…塗布ヘッド  ６１…ヘッド本体
６２…頂板  ６４…取付筒部
６６…垂下筒部  ６８…ヘッド周壁  ６９…第２係止突条  ７０…係合凸部
７２…連通口  ７３…保持筒部  ７４…弁部材  ７４ａ…本体  ７４ｂ…帽状部
７６…連結筒部
８０…ノズル筒  ８０ａ…拡径筒部  ８０ｂ…シール筒部  ８２…塗布口
８４…操作筒  ８５…包囲筒  ８６…仕切り用リブ  ８８…２重筒体  ８８ａ…外筒部
８８ｂ…内筒部  ９０…下端部  ９２…貫通孔        
１００…オーバーキャップ  １０２…栓部  １０４…ノズル保持筒
Ｇ…ガイド溝  ＧＩ…傾斜溝部  ＧＬ…横溝部  ＧＶ…垂直溝部
Ｐ…パッキン  Ｒ…計量室  Ｖ１…第１逆止弁  Ｖ２…第２逆止弁
【図１】
0006391093.tif 000002
【図２】
0006391093.tif 000003
【図３】
0006391093.tif 000004
【図４】
0006391093.tif 000005
【図５】
0006391093.tif 000006
【図６】
0006391093.tif 000007
【図７】
0006391093.tif 000008
【図８】
0006391093.tif 000009
【図９】
0006391093.tif 000010
【図１０】
0006391093.tif 000011